(57)【特許請求の範囲】
【請求項１】
電源供給部が設けられたコンピュータ本体と；
前記電源供給部から供給される電源により駆動されるＬＣＤパネル及び前記ＬＣＤパネルを照明するバックライトとが連結された液晶ディスプレイ装置と；
を有する携帯用コンピュータであって，
前記バックライトに交流電源を提供するＤＣ／ＡＣインバータと；
前記ＬＣＤパネルに提供される映像信号のコントラストを感知するコントラスト感知部と；
前記コントラスト感知部から出力される，前記映像信号の感知結果であるＰＷＭ信号を直流信号に変換するＤＣコンバータと；
前記ＤＣコンバータと前記ＤＣ／ＡＣインバータとの間に設けられて，前記ＤＣコンバータからの直流信号の電圧をＤＣ／ＡＣインバータの駆動電圧と一致させて，ＤＣ／ＡＣインバータに提供する電圧調整部と；
前記ＤＣ／ＡＣインバータと直列に連結されて，前記ＤＣ／ＡＣインバータの駆動電圧を感知し，前記駆動電圧に基づいて前記電圧調整部を制御する制御部と；
を含むことを特徴とする携帯用コンピュータ。
【請求項２】
前記制御部は前記ＤＣ／ＡＣインバータと直接連結され，前記コントラスト感知部は前記ＤＣコンバータ及び前記電圧調整部を経て前記ＤＣ／ＡＣインバータに連結される並列構成であることを特徴とする請求項１に記載の携帯用コンピュータ。
【請求項３】
前記コントラスト感知部を通じたバックライトの自動調整を遮断するためのバックライト手動選択部をさらに含み，前記バックライト手動選択部の選択時に，前記制御部は前記電圧調整部をオフさせることを特徴とする請求項１に記載の携帯用コンピュータ。
【請求項４】
前記バックライト手動選択部は，前記コンピュータ本体上に設けられたキー入力部を通じて選択されることを特徴とする請求項３に記載の携帯用コンピュータ。
【請求項５】
電源供給部が設けられたコンピュータ本体と，前記電源供給部から供給される電源により駆動されるＬＣＤパネルと，前記ＬＣＤパネルを照明するバックライト及び前記ＬＣＤパネルに提供される映像信号のコントラストを感知するコントラスト感知部とが連結された液晶ディスプレイ装置と，を有する携帯用コンピュータの制御方法であって，
前記バックライトに交流電圧を供給するＤＣ／ＡＣインバータの駆動電圧を感知する段階と；
前記コントラスト感知部から出力される，前記映像信号の感知結果であるＰＷＭ形態のバックライト調整信号を直流信号に変換した後，前記直流信号の電圧を前記ＤＣ／ＡＣインバータの駆動電圧に一致するように調整して，前記ＤＣ／ＡＣインバータに提供する段階と；
を含むことを特徴とする携帯用コンピュータの制御方法。
【請求項６】
前記バックライトを手動調整するか否かを選択する段階と；
前記バックライトの手動調整選択時に，前記コントラスト感知部によるバックライト調整を遮断し，ユーザーの設定にしたがってバックライトを調整する段階と；
をさらに含むことを特徴とする請求項５に記載の携帯用コンピュータの制御方法。
【発明の詳細な説明】
【０００１】
【発明の属する技術分野】
本発明は，携帯用コンピュータに関し，より詳細には，ＬＣＤ（Liquid Crystal Display；液晶ディスプレイ）パネルを照明するバックライトを自動調整することができる携帯用コンピュータ，及び，携帯用コンピュータの制御方法に関する。
【０００２】
【従来の技術】
一般に携帯用コンピュータは，コンピュータ本体と，コンピュータ本体にヒンジ結合されて画像を表示するＬＣＤパネル及びＬＣＤパネルを照明するバックライトとが設けられたディスプレイ装置とから構成される。コンピュータ本体には，ハードディスク及びメモリ等のハードウェア装置と，ＣＰＵ（Central Processing Unit；中央演算処理装置）と，コンピュータ本体及び液晶ディスプレイ装置に電源を供給する電源供給部とが設けられている。
【０００３】
携帯用コンピュータには，ユーザーの操作により，バックライトの輝度を調整するボリュームコントローラ（輝度調節つまみ）や短縮キーなどが設けられて，画面の輝度を調整することができる。
【０００４】
ところが，従来の携帯用コンピュータのバックライトは，映像信号のコントラスト（明暗比）信号に関わらず一定の輝度で表示されるので，電力を浪費するおそれがある。また，ユーザーがコントラストの変化などの画面状態に合わせてバックライトの輝度を調整しなければならないという不便がある。
【０００５】
これを解決するため，液晶ディスプレイ装置のＬＣＤパネルに表示される映像信号のコントラストを感知するスマートモジュールを装着して，このスマートモジュールで感知されたコントラストにしたがって自動的にバックライトの輝度を調整する携帯用コンピュータが開発されている。
【０００６】
スマートモジュールを装着した携帯用コンピュータは，ユーザーがバックライトの輝度を最大値に設定した場合は，映像信号のコントラストにしたがって最小値乃至最大値の範囲でバックライトの輝度が自動調整され，標準値に設定した場合は，最小値乃至最大値の範囲でバックライトの輝度が自動調整される。
【０００７】
ところが，スマートモジュールを装着した携帯用コンピュータは，図４に示したように，ユーザーの操作により，バックライト４７の調整信号を出力するＣＰＵ４５がＤＣ／ＡＣインバータ４３に直接連結されず，ＤＣコンバータ４１を通じて間接的に連結されている。また，マイコン４５から出力される制御信号は，スマートモジュール４６から出力される制御信号と電圧レベルの基準が異なっている。このため，スマートモジュール４６からの制御信号が，ＤＣ／ＡＣインバータ４３の駆動信号の電圧レベル（入力インピーダンス）と合わないおそれがある。
【０００８】
また，ＤＣ／ＡＣインバータ４３の駆動電圧がスマートモジュール４６に合わせられたコンピュータ本体に，スマートモジュールを装着しない一般の液晶ディスプレイ装置を連結する場合は，別途の電圧補正回路の連結が必要になるので，製造過程が複雑で，製品コストがアップするという問題がある。
【０００９】
さらに，従来のスマートモジュールを装着した携帯用コンピュータは，バックライトの輝度の自動調整の際，コントラストが急激に変化する場合，バックライトの輝度の変化が緩慢になるという欠点がある。
【００１０】
【発明が解決しようとする課題】
そこで本発明は，コントラスト感知部からの感知信号によるバックライトの調整電圧を，ＤＣ／ＡＣインバータの駆動電圧に一致させて，定常的にバックライトの輝度を調整することができ，しかも，ＤＣ／ＡＣインバータの入力インピーダンスに関わらず，最適の状態に動作させることができる携帯用コンピュータ及び携帯用コンピュータの制御方法を提供することを目的とする。
【００１１】
また，一般の液晶ディスプレイ装置を携帯用コンピュータに連結するときに，別途の電圧補正回路が要らない携帯用コンピュータ及び携帯用コンピュータの制御方法を提供することを目的とする。
【００１２】
さらに，ユーザーがバックライトの自動調整を選択的に利用することができる携帯用コンピュータ及び携帯用コンピュータの制御方法を提供することを目的とする。
【００１３】
【課題を解決するための手段】
上記目的を達成するための本発明の携帯用コンピュータは，電源供給部が設けられたコンピュータ本体と；電源供給部から供給される電源により駆動されるＬＣＤパネル及びＬＣＤパネルを照明するバックライトとが連結された液晶ディスプレイ装置と；を有する携帯用コンピュータであって，バックライトに交流電源を提供するＤＣ／ＡＣインバータと；ＬＣＤパネルに提供される映像信号のコントラストを感知するコントラスト感知部と；コントラスト感知部から出力される，映像信号の感知結果であるＰＷＭ（Pulse Width Modulation）信号を直流信号に変換するＤＣコンバータと；ＤＣコンバータとＤＣ／ＡＣインバータとの間に設けられて，ＤＣコンバータからの直流信号の電圧をＤＣ／ＡＣインバータの駆動電圧と一致させて，ＤＣ／ＡＣインバータに提供する電圧調整部と；ＤＣ／ＡＣインバータと直列に連結されて，ＤＣ／ＡＣインバータの駆動電圧を感知し，駆動電圧に基づいて電圧調整部を制御する制御部と；を含むことを特徴とする。
【００１４】
このような構成により，コントラスト感知部からの感知信号によるバックライトの調整電圧を，ＤＣ／ＡＣインバータの駆動電圧に一致させて，定常的にバックライトの輝度を調整することができ，しかも，ＤＣ／ＡＣインバータの入力インピーダンスに関わらず，最適の状態に動作させることができる。
【００１５】
ここで，制御部はＤＣ／ＡＣインバータと直接連結され，コントラスト感知部はＤＣコンバータ及び電圧調整部を経てＤＣ／ＡＣインバータに連結される並列構成で設けることにより，制御部がＤＣ／ＡＣインバータの駆動電圧を感知することができ，コントラスト感知部が設けられない一般の液晶ディスプレイ装置を連結するときに，ユーザーが手動にバックライトを調整することができ，別途の補正回路が不要になる。
【００１６】
また，上記構成で，コントラスト感知部を通じたバックライトの自動調整を遮断するためのバックライト手動選択部をさらに含み，バックライト手動選択部の選択時に，制御部は電圧調整部をオフさせることにより，バックライト自動調整をユーザーが選択的に利用することができる。バックライト手動選択部は，コンピュータ本体上に設けられたキー入力部を通じて容易にコントラスト感知部によるバックライトの自動調整を遮断することができる。
【００１７】
また，上記目的を達成するための本発明の携帯用コンピュータの制御方法は，電源供給部が設けられたコンピュータ本体と，電源供給部から供給される電源により駆動されるＬＣＤパネルと，ＬＣＤパネルを照明するバックライト及びＬＣＤパネルに提供される映像信号のコントラストを感知するコントラスト感知部とが連結された液晶ディスプレイ装置と，を有する携帯用コンピュータの制御方法であって，バックライトに交流電圧を供給するＤＣ／ＡＣインバータの駆動電圧を感知する段階と；コントラスト感知部から出力される，映像信号の感知結果であるＰＷＭ形態のバックライト調整信号を直流信号に変換した後，直流信号の電圧を前記ＤＣ／ＡＣインバータの駆動電圧に一致するように調整して，ＤＣ／ＡＣインバータに提供する段階と；を含むことを特徴とする。
【００１８】
上記構成でさらに，バックライトを手動調整するか否かを選択する段階と；バックライトの手動調整選択時に，コントラスト感知部によるバックライト調整を遮断し，ユーザーの設定にしたがってバックライトを調整する段階と；をさらに含むことにより，バックライトの輝度を手動調整することもできる。
【００１９】
【発明の実施の形態】
以下に，本発明の実施の形態を，図面を用いて説明する。
【００２０】
図１は，本発明の一実施形態による携帯用コンピュータの斜視図である。図１に示したように，携帯用コンピュータ１は，ＣＰＵ（中央演算処理装置）やビデオカードを始めとする多数のハードウェアが内臓されたコンピュータ本体１０と，コンピュータ本体１０とヒンジ結合されてビデオカードから印加される映像信号により画像を表示する液晶ディスプレイ装置１７とから構成される。また，コンピュータ本体１０の上面には，ユーザーの操作により文字及び制御信号を入力するためのキー入力部（キーボード）１１が設けられている。
【００２１】
液晶ディスプレイ装置１７内には，ＬＣＤパネル１６と；ＬＣＤパネル１６の上部及び下部に設けられてＬＣＤパネル１６を照明して映像の輝度を調整するバックライト（陰極蛍光ランプ）１７ａと；コンピュータ本体１０のビデオカードから印加された映像信号を処理する映像処理部（図示せず）と；ＬＣＤパネル１６に表示される映像処理部からの映像信号のコントラストを感知して，その結果をＰＷＭ信号に出力するコントラスト感知部１７ｂと；が設けられている。
【００２２】
コンピュータ本体１０内には，図２に示したように，コントラスト感知部１７ｂから出力されるＰＷＭ信号を直流信号に変換するＤＣコンバータ１９と，ＰＷＭ信号を交流信号に変換してバックライト１７ａに供給するＤＣ／ＡＣインバータ２３と，ＤＣコンバータ１９からの直流信号をＤＣ／ＡＣインバータ２３を駆動できる大きさの信号に調整する電圧調整部２１と，ＤＣ／ＡＣインバータ２３と直列に設けられてＤＣ／ＡＣインバータ２３の駆動電圧を感知して電圧調整部２１を制御する制御部１５とが設けられる。ここで，ＤＣ／ＡＣインバータ２３は，０ボルト〜数ボルト範囲の電圧を出力し，ＤＣ／ＡＣインバータ２３からの出力電圧の大きさにしたがってバックライト１７ａの輝度が自動調整される。
【００２３】
制御部１５は，ＤＣ／ＡＣインバータ２３の駆動電圧を感知して，コントラスト感知部１７ｂからの感知信号の電圧の大きさが，ＤＣ／ＡＣインバータ２３を駆動させることができる程大きくない時に，電圧調整部２１が電圧を上げるように制御する。
【００２４】
一方，キー入力部１１を通じたバックライト１７ａの手動調整は，携帯用コンピュータのキー入力部１１に設けられたホット・キーまたはコンピュータ本体１０の側面などに設けられた別途の輝度調整用ボリュームコントローラ（輝度調整つまみ）を利用して調整する。制御部１５は，キー入力部１１のホット・キーなどの設定にしたがって，バックライト１７ａの輝度を調整する制御信号をＤＣ／ＡＣインバータ２３に出力する。
【００２５】
本実施形態によるコンピュータ本体１０には，コントラスト感知部１７ｂを通じたバックライト１７ａの自動調整をユーザーの希望にしたがってオン・オフさせることができるように，バックライト手動選択部（図示せず）が設けられている。バックライト手動選択部は，キー入力部１１のホット・キーまたは別途のボタンで設けることができる。
【００２６】
ユーザーがバックライト手動選択部を選択すると，制御部１５は予め設けられたプログラムにしたがってコントラスト感知部１７ｂの動作を遮断するように電圧調整部２１をオフさせる。
【００２７】
図２に示したように，本実施形態による携帯用コンピュータの制御回路は，バッテリ３またはアダプタ２により電源を供給する電源供給部（図示せず）と；バッテリ３またはアダプタ２を選択するための電源選択回路７と；供給された電源をシステム内の各装置の駆動電圧に変更するＤＣ／ＤＣコンバータ５と；ビデオカード１３が設けられ各装置の基本動作を制御するシステムメインボード９と；ビデオカード１３から提供された映像信号を表示する液晶ディスプレイ装置１７と；液晶ディスプレイ装置１７内に設けられて，映像信号のコントラストを感知するコントラスト感知部１７ｂと；ユーザーの選択により手動にバックライト１７ａの輝度を設定するためのキー入力部１１と；システムメインボード９を通じて各ハードウェア装置に制御信号を印加する制御部１５と；から構成される。
【００２８】
また，携帯用コンピュータの制御回路は，コントラスト感知部１７ｂから出力されるＰＷＭ信号を直流信号に変更するＤＣコンバータ１９と，ＤＣコンバータ１９で変更された直流信号の電圧をＤＣ／ＡＣインバータ２３の駆動電圧に一致させるように調整する電圧調整部２１とをさらに含んでいる。
【００２９】
コントラスト感知部１７ｂは，液晶ディスプレイ装置１７の映像処理部からコントラストを感知して輝度調整信号（コントラスト感知値）をＰＷＭ信号に出力する。ＰＷＭ形態のバックライト１７ａの輝度調整信号は，ＤＣコンバータ１９に入力されて直流信号に変換され，直流信号に変換された輝度調整信号は電圧調整部２１でＤＣ／ＡＣインバータ２３を駆動できる直流信号に増幅されたり減圧されたりする。
【００３０】
ここで，ユーザーの選択に従う制御部１５からのバックライト調整信号とコントラスト感知部１７ｂから出力される輝度調整信号は，ＤＣ／ＡＣインバータ２３に並列に印加される。したがって，キー入力部１１を通じてバックライト１７ａの輝度が最大値に設定された場合は，コントラスト感知部１７ｂにより最小値乃至最大値の範囲内でバックライト１７ａの輝度が自動調整され，標準値に設定された場合は，最小値乃至標準値の範囲でバックライト１７ａの輝度が自動調整される。
【００３１】
以上のように構成された携帯用コンピュータの制御順序を述べると次の通りである。図３は，本実施形態による携帯用コンピュータの制御フローチャートである。図３に示したように，制御部１５は，液晶ディスプレイ装置１７にコントラスト感知部１７ｂが存在するか否かを感知し（Ｓ１），コントラスト感知部１７ｂが存在すると，制御部１５はＤＣ／ＡＣインバータ２３の駆動電圧を感知する（Ｓ３）。ステップ１〜ステップ３は，コンピュータの初期動作時に，ＤＣ／ＡＣインバータ２３の駆動電圧が設定される過程である。コントラスト感知部１７ｂが映像信号のコントラストを感知してコントラスト感知値であるバックライト調整信号を出力すると，バックライト調整信号は，ＤＣコンバータ１９で直流信号に変換される（Ｓ５）。直流信号に変換されたバックライト調整信号は，電圧調整部２１でＤＣ／ＡＣインバータ２３の駆動電圧に一致するように大きさが調整され（Ｓ７），調整された直流信号はＤＣ／ＡＣインバータ２３に印加される（Ｓ８）。また，ＤＣ／ＡＣインバータ２３は，入力される直流信号を交流信号に変換してバックライト１７ａに供給することにより，バックライト１７ａの輝度が自動調整される（Ｓ１１）。
【００３２】
ここで，ユーザーがバックライトの手動調整を選択した場合（Ｓ９），制御部１５は電圧調整部２１の動作をオフさせて，コントラスト感知部１７ｂによるバックライト自動調整信号がＤＣ／ＡＣインバータ２３に供給されるのを遮断し（Ｓ１０），キー入力部１１を通じたユーザーの選択にしたがってバックライト１７ａを手動調整する（Ｓ１２）。また，コントラスト感知部１７ｂの存在しない場合には，ユーザーの選択にしたがう制御部１５のバックライト調整信号だけがＤＣ／ＡＣインバータ２３に印加されるので，バックライト１７ａの輝度が手動調整される（Ｓ１２）。
【００３３】
このような構成によって，ユーザーの選択したバックライトの輝度の設定範囲内で，コントラスト感知部１７ｂを通じてコントラストの大きさにしたがって自動にバックライト１７ａの輝度を調整することができる。また，コントラスト感知部１７ｂを装着した液晶ディスプレイ装置を有する携帯用コンピュータでも，制御部１５とＤＣ／ＡＣインバータ２３とを直接連結し，コントラスト感知部１７ｂはバックライト制御信号を直流に変換するＤＣコンバータ１９と電圧調整部２１とを経てＤＣ／ＡＣインバータ２３に連結して，制御部１５とＤＣ／ＡＣインバータ２３とのインピーダンスを一致させることにより，一般の液晶ディスプレイ装置を携帯用コンピュータに装着するときでも別途の電圧補正回路が不要になる。
【００３４】
また，ユーザーがバックライト自動調整機能をオフにした場合，コントラスト感知部１７ｂによるバックライト１７ａの調整を遮断することにより，ユーザーが手動にバックライトを調整することができる。
【００３５】
以上，添付図面を参照しながら本発明の携帯用コンピュータ，及び携帯用コンピュータの制御方法の好適な実施形態について説明したが，本発明はこれらの例に限定されない。いわゆる当業者であれば，特許請求の範囲に記載された技術的思想の範疇内において各種の変更例または修正例に想到し得ることは明らかであり，それらについても当然に本発明の技術的範囲に属するものと了解される。
【００３６】
【発明の効果】
本発明によれば，コントラスト感知部の感知信号に従うバックライト調整電圧をＤＣ／ＡＣインバータの駆動電圧に合わせて定常的にバックライトの輝度を調整することができ，ＤＣ／ＡＣインバータの入力インピーダンスに関わらず，最適の状態で動作することができる。また，一般の液晶ディスプレイ装置を携帯用コンピュータに連結する時に，別途の電圧補正回路が要らない。さらに，ユーザーがバックライトの自動調整を選択的に利用することができる。
【図面の簡単な説明】
【図１】本発明の一実施形態による携帯用コンピュータの斜視図である。
【図２】本発明の一実施形態による携帯用コンピュータの制御ブロック図である。
【図３】本発明の一実施形態による携帯用コンピュータの制御フローチャートである。
【図４】従来の携帯用コンピュータの制御ブロック図である。
【符号の説明】
１      携帯用コンピュータ
２      ＡＣアダプタ
３      バッテリ
５      ＤＣ／ＤＣコンバータ
７      電源選択回路
９      システムメインボード
１０    コンピュータ本体
１１    キー入力部
１３    ビデオカード
１５    制御部
１６    ＬＣＤパネル
１７    液晶ディスプレイ装置
１７ａ  バックライト
１７ｂ  コントラスト感知部
１９    ＤＣコンバータ
２１    電圧調整部
２３    ＤＣ／ＡＣインバータ
４１    ＤＣコンバータ
４３    ＤＣ／ＡＣインバータ
４５    ＣＰＵ
４６    スマートモジュール
４７    バックライト
【図１】
0003697201.tif 000002
【図２】
0003697201.tif 000003
【図３】
0003697201.tif 000004
【図４】
0003697201.tif 000005